(57)【要約】【課題】ランドセルを立てたまま、ランドセルのほぼ全貌を看者に見せて展示できる簡易な構造で安価に製造できるランドセル陳列台を提供すること。【解決手段】設置面に置かれる平面視が矩形状の基台２と、基台２の左右方向の中央部で且つ前後方向の後方側から上方に立ち上がる隆起状の転落防止用突起３と、基台２の左右方向の両側において所定幅を有し上方に立ち上がる左右一対の支持台４と、を備え、左右方向における転落防止用突起３と左右の支持台４間にはそれぞれ所定幅の隙間６を有し、支持台４は後方へ下り傾斜の上面を有する前方部４２ａ、４２ｂと、前方部４２ａ、４２ｂと段差７を有して連続しており高さが該前方部より低い後方部４１ａ、４１ｂからなり、転落防止用突起３の高さは、支持台４の最大高さより大であり、段差７は転落防止用突起３より所定寸法、前方に位置するランドセル陳列台１０。【選択図】図１
0003147679.tif 000002
【実用新案登録請求の範囲】
【請求項１】
設置面に置かれる平面視が矩形状の基台と、
該基台の左右方向の中央部で且つ前後方向の後方側から上方に立ち上がる隆起状の転落防止用突起と、
該基台の左右方向の両側において所定幅を有し上方に立ち上がる左右一対の支持台と、を備え、
左右方向における該転落防止用突起と該左右の支持台間にはそれぞれ所定幅の隙間を有し、該支持台は後方へ下り傾斜の上面を有する前方部と、該前方部と段差を有して連続しており高さが該前方部より低い後方部からなり、
該転落防止用突起の高さは、該支持台の最大高さより大であり、該段差は該転落防止用突起より所定寸法、前方に位置することを特徴とするランドセル陳列台。
【請求項２】
該転落防止用突起は、前方傾斜面を有し、該前方傾斜面は側面視で後方に急な上りの傾斜面であることを特徴とする請求項１記載のランドセル陳列台。
【請求項３】
該支持台の前方部の上面と該転落防止用突起の前方傾斜面とのなす角度が、略直角であることを特徴とする請求項１又は２記載のランドセル陳列台。
【請求項４】
該支持台は、該基台の前後方向の長さと略同じ前後方向の長さであることを特徴とする請求項１〜３のいずれか１項に記載のランドセル陳列台。
【請求項５】
更に、該基台の左右方向の中央部で且つ前後方向の前方側から上方に立ち上がる隆起状の小突起を設け、左右方向における該小突起と該左右の支持台間にはそれぞれ所定幅の隙間を有し、該小突起の高さは、該支持台の最大高さより小であることを特徴とする請求項１記載のランドセル陳列台。
【請求項６】
更に、該基台の前後方向の前方側から上方に立ち上がる壁部を設け、該壁部の高さは、該支持台の最大高さより小であることを特徴とする請求項１記載のランドセル陳列台。
【請求項７】
底板無しの中空プラスティック成型品であることを特徴とする請求項１〜６のいずれか１項に記載のランドセル陳列台。
【考案の詳細な説明】
【技術分野】
【０００１】
本考案は、ランドセルを立てたまま、ランドセルのほぼ全貌を看者に見せて展示できるランドセル陳列台に関する。
【背景技術】
【０００２】
ランドセルを販売するために店内に展示する方法としては、ランドセルを壁面に吊り下げて展示する方法やランドセルをランドセル陳列台に設置して立てたまま展示する方法がある。ランドセルを壁面に吊り下げて展示する方法は、もともとランドセルに備わっている金具を使用するため便利ではあるものの、壁面の高い部分への設置は顧客が手にとって見れないため、設置高さに制限があり、陳列個数が制限されるか、あるいは大きな壁面が必要となる。近年、大規模ショッピングセンターでの取り扱いが増えるなか、ランドセルを陳列台（設置台）に設置されたランドセル陳列台に立てたまま展示する方法が注目を浴びている。
【０００３】
ランドセル陳列台を使用してランドセルを立てたまま展示する方法としては、平面視が矩形状であって、ランドセル全体が浅底の皿状の枠体に納まるランドセル展示台が提案されている。
【０００４】
このようなランドセル展示台によれば、安定して展示しておくことができ、ランドセルを上に持ち上げただけで、容易に展示台から取り出すことができる。また、ランドセルの重量を比較的広い上面で支えることができるため、それほどの強度を要せず、簡易な構成にすることができ、安価に製造しうるという効果が得られる。
【考案の開示】
【考案が解決しようとする課題】
【０００５】
しかしながら、従来のランドセル展示台にランドセルを設置した場合、ランドセルの下部がランドセル展示台の周壁内に没入してしまう。このため、顧客からはランドセルの全貌が見え難く、ランドセルの意匠性が損なわれてしまうという問題がある。
【０００６】
従って、本考案の目的は、ランドセルを立てたまま、ランドセルのほぼ全貌を看者に見せて展示できる簡易な構造で安価に製造できるランドセル陳列台を提供することにある。
【課題を解決するための手段】
【０００７】
すなわち、本考案は、従来の課題を解決したものであって、設置面に置かれる平面視が矩形状の基台と、該基台の左右方向の中央部で且つ前後方向の後方側から上方に立ち上がる隆起状の転落防止用突起と、該基台の左右方向の両側において所定幅を有し上方に立ち上がる左右の支持台と、を備え、該転落防止用突起と該左右の支持台間にはそれぞれ所定幅の隙間を有し、該支持台は後方へ下り傾斜の上面を有する前方部と、該前方部と段差を有して連続しており高さが該前方部より小の後方部からなり、該転落防止用突起の高さは、該支持台の最大高さより大であり、該段差は該転落防止用突起より所定寸法、前方に位置するランドセル陳列台を提供するものである。
【考案の効果】
【０００８】
本考案のランドセル陳列台によれば、ランドセルを立てたままでも設置安定性に優れ、ランドセルのほぼ全貌を看者に見せて展示できる。また、本考案のランドセル陳列台は簡易な構造で安価に製造できる。
【考案を実施するための最良の形態】
【０００９】
次に、本考案の第１の実施の形態におけるランドセル陳列台を図１〜図５を参照して説明する。図１は本例のランドセル陳列台の後方側から見た斜視図、図２は本例のランドセル陳列台の前方側から見た斜視図、図３は図１のランドセル陳列台の右側面図、図４はランドセルを設置したランドセル陳列台の左側面図をそれぞれ示す。本明細書中、「前」はランドセルを設置した場合における垂れ蓋側を言い、「後」は背当て側を言う。また、「左右」は前方側（正面側）から見た方向を言う。
【００１０】
ランドセル陳列台１０は、底板なしの中空プラスティック製であり、基台２と、基台２上に形成された転落防止用突起３と、基台２上に形成された左右両側の支持台４ａ、４ｂとからなる。なお、符号１は基台の外周に形成される縁部である。
【００１１】
基台２は設置面に置かれる平面視が矩形状のものである。これにより設置安定性が高まると共に、ランドセルの平面視形状と略同じとなり、ランドセルの意匠と一体感がでる。また、基台２は所定の高さを有している。ランドセル陳列台１０はプラスティック製の底板の無い中空製であるため、基台２に高さを与えて成型性を保持しつつ強度を付与できる。なお、符号１は基台の外周に形成される縁部である。本例のランドセル陳列台１０において、基台２の表面部、すなわち、左右の支持台４ａ、４ｂで挟まれた中央部は設置状態において水平面であるが、これに限定されるものではない。
【００１２】
支持台４ａ、４ｂは、ランドセル５０を支持するものであり、基台２の左右方向の両側において所定幅を有し上方に立ち上がる左右一対のものである。支持台４ａ、４ｂの左右両端間の寸法は、ランドセル５０の幅寸法と概ね同じとすることが、設置安定性を高め、且つ基台２の設置面積を最小限とすることができる点で好ましい。また、支持台４ａ、４ｂの前後方向の長さ寸法は、ランドセル５０の設置により、ランドセル５０の垂れ蓋が支持台４ａ、４ｂの外側となり、支持台４ａ、４ｂにかからない寸法とする。そして、支持台４ａ、４ｂは基台２の前後方向の長さと略同じ前後方向の長さとする。これによりランドセル陳列台１０をコンパクトな寸法とすることができる。また、基台２より所定高さの支持台４ａ、４ｂにランドセル５０を載置するため、ランドセル５０の全貌が見え、ランドセル５０の意匠性を損なうことがない。
【００１３】
支持台４ａ、４ｂは後方へ下り傾斜の上面（支持面）４２１を有する前方部４２ａ、４２ｂと、前方部４２ａ、４２ｂと段差を有して連続しており高さが前方部４２ａ、４２ｂより低い後方部４１ａ、４１ｂからなる。また、支持台４ａ、４ｂの最大高さは転落防止用突起３の高さより小である。これにより、ランドセル５０を支持台４ａ、４ｂの前方部４２ａ、４２ｂに載せた際、後方側に重心が移動するものの、背の高い転落防止用突起３によりランドセル５０の転落を防止できる。また、支持台４ａ、４ｂの後方部４１ａ、４１ｂを前方部４２ａ、４２ｂより背を低くして、後方部４１ａ、４１ｂとランドセル５０間に隙間を生じさせ、この隙間にランドセル５０の背当ての下方に突出した下端を入り込ませて、設置の安定性を高めることができる。後方部４１ａ、４１ｂの上面４２２は、設置状態において、傾斜面であっても水平面であってもよい。
【００１４】
転落防止用突起３は、設置されたランドセル５０の転落を防止するものであり、基台２の左右方向の中央部で且つ前後方向の後方側から上方に立ち上がる隆起状である。本例の転落防止用突起３は、前方傾斜面３１を有し、前方傾斜面３１は側面視で後方に急な上りの傾斜面である。本例の転落防止用突起３は、正面視および側面視のいずれも上底の辺長さが下底の辺長さより僅かに小の台形状である。転落防止用突起３の高さは、支持台４ａ、４ｂの最大高さより大であり、段差７は転落防止用突起３より所定寸法、前方に位置するものである。転落防止用突起３の前方傾斜面を後方にやや倒伏した形状とすることで、支持台４ａ、４ｂの前方部４２ａ、４２ｂと転落防止用突起３の前面が略直角となり、ランドセル５０への片当たりが防止でき設置安定性が高まる。また、段差７は転落防止用突起３より所定寸法、前方に位置させることにより、ランドセル５０の背当ての下部が入り込むスペースを確保できる。従って、前後方向における段差７と転落防止用突起３間の距離は、ランドセル５０の背当ての厚みより大となる寸法である。また、段差７の高さはランドセル５０の背当ての下端の突出長さと同じか、又はそれよりやや大とする。
【００１５】
また、左右方向における転落防止用突起３と左右の支持台４ａ、４ｂ間にはそれぞれ所定幅の隙間６ａ、６ｂを有する。これにより、該隙間６ａ、６ｂにランドセル５０の背負いベルト５２が入り込むため、陳列台へのランドセルの設置の妨げとなることがない。すなわち、２つの隙間６ａ、６ｂは、それぞれ同じで、ランドセル５０の背負いベルト５２の幅寸法よりやや大とする寸法である。
【００１６】
また、基台２上であって、左右の支持台４ａ、４ｂと、転落防止用突起３で囲まれる部分は、ランドセル５０が設置された場合、空間部を形成するが、この空間部には、ランドセル５０の背負いベルト連結用の金属の輪や垂れ蓋を止める錠５１を収容することになる（図５参照）。
【００１７】
本例のランドセル陳列台１０にランドセル５０を設置するには、両者の左右方向における中心を概ね合わせ、次いでランドセル５０の背当ての下端を転落防止用突起３の前方側の根元にあてがい、そのまま載せる。この時、ランドセル５０の本体部の底面の両側部が左右の支持台４ａ、４ｂの前方部４２ａ、４２ｂの上面４２１にのる。また、ランドセル５０の背当ての下端突出部は左右の支持台４ａ、４ｂの前方部４１ａ、４１ｂの上面４２２にのる。また、ランドセル５０の垂れ蓋は左右の支持台４ａ、４ｂの前方部４２ａ、４２ｂより更に前方へ垂れ下がる。また、ランドセル５０の背負いベルト連結用の金属の輪や垂れ蓋を止める錠などの凸部はランドセル５０の左右の支持台４ａ、４ｂと転落防止用突起３に囲まれた空間に位置する。本例のランドセル陳列台１０によれば、ランドセル５０の特有の形状に即した形状としたため、ランドセル５０を立てたままでも設置安定性に優れ、ランドセル５０のほぼ全貌を看者に見せて展示できる。また、本例のランドセル陳列台１０は簡易な構造で薄くても強度がでる構造であるため、安価に製造できる。
【００１８】
本考案のランドセル陳列台は、上記形態に限定されず、種々の変形を採ることができる。例えば、基部の高さ（上げ底）は縁部１と同じ高さとなるような低いものであってもよい。この場合、全体の高さが低くなるものの、ランドセル５０の全貌を看者に見せて展示することができる。また、本考案のランドセル陳列台は、底板無しの中空構造に代えて、底板を有する中実構造であってもよい。この場合、重量が嵩むものの、強度を高めることができる。
【００１９】
また、転落防止用突起３の突起高さは、本例では支持台４ａ、４ｂの最大高さの１．２５倍程度であるが、１．２５倍以上であってもよい。また、転落防止用突起３の突起の最大高さは、支持台４ａ、４ｂの２倍程度とすることが、ランドセル５０の意匠性を損なうことがない点で好ましい。また、転落防止用突起３の形状は、正面視で半円形断面、矩形状断面、楕円形断面、不定形断面など種々の形態を採ることができる。
【００２０】
また、支持台４ａ、４ｂの前方部４２ａ、４２ｂの前後方向の長さは、ランドセル５０の本体部の前後長さにより適宜決定すればよい。また、支持台４ａ、４ｂの前方部４２ａ、４２ｂの上面形状は、平坦面で且つ矩形状とすることが、ランドセル５０の片当たりを防止し、設置安定性が高まる点で好ましい。
【００２１】
次に、本考案の第２の実施の形態におけるランドセル陳列台を図６〜図８を参照して説明する。図６〜図８において、図１〜図５と同一構成要素には同一符号を付して、その説明を省略し、異なる点について主に説明する。すなわち、図６〜図８において、図１〜図５と異なる点は、ランドセル陳列台１０ａは、ランドセル陳列台１０に、更に基台２の左右方向の中央部で且つ前後方向の前方側から上方に立ち上がる隆起状の小突起８を設けた点にある。ランドセル陳列台１０ａにおいて、左右方向における小突起８と左右の支持台４ａ、４ｂ間にはそれぞれ所定幅の隙間６ｃ、６ｄを有し、小突起８の高さは、支持台４ａ、４ｂの最大高さより小である。隙間６ｃ、６ｄの所定幅とは、背負いベルト５２の幅より少し大である。小突起８の設置により、図７に示すように、ランドセル５０の背負いベルト５２が実際の使用状態とは異なる蓋側に回されて展示用形態を採る場合、背負いベルト５２が所定幅の隙間６ｃ、６ｄに通されるため、意匠性に優れるとともに、設置安定性を妨げることがない。なお、図７において、背負いベルト５２が所定幅の隙間６ｃ、６ｄに通された状態は図面が複雑になるため、その記載を省略した。また、図８の展示形態であっても、小突起８の高さは支持台４ａ、４ｂの最大高さより小であるため、設置安定性を妨げることがない。なお、小突起８の形状は、転落防止用突起３の形状と相似形が好適であるが、これに限定されず、例えば正面視で半円形断面、矩形状断面、楕円形断面、不定形断面など種々の形態を採ることができる。
【００２２】
次に、本考案の第３の実施の形態におけるランドセル陳列台を図９〜図１０を参照して説明する。図９〜図１０において、図１〜図５と同一構成要素には同一符号を付して、その説明を省略し、異なる点について主に説明する。すなわち、図９〜図１０において、図１〜図５と異なる点は、ランドセル陳列台１０ｂは、ランドセル陳列台１０ａは、ランドセル陳列台１０に、更に、基台２の前後方向の前方側から上方に立ち上がる壁部９を設けた点にある。壁部９の左右方向における両端は支持台４ａ、４ｂに連続するものである。すなわち、支持台４ａ、４ｂと壁部９は三方を囲む連続ものである。壁部９の高さは、支持台４ａ、４ｂの最大高さより小である。壁部９の設置により下方空間が目隠しされ、意匠性に優れるとともに、設置安定性を妨げることがない。なお、壁部９の形状は、その断面形状は転落防止用突起３の断面形状と相似形が好適であるが、これに限定されない。  
【図面の簡単な説明】
【００２３】
【図１】第１の実施の形態におけるランドセル陳列台の後方側から見た斜視図。
【図２】本例のランドセル陳列台の前方側から見た斜視図。
【図３】図１のランドセル陳列台の右側面図。
【図４】ランドセルを設置したランドセル陳列台の左側面図。
【図５】ランドセルを設置したランドセル陳列台の正面図。
【図６】第２の実施の形態におけるランドセル陳列台の後方側から見た斜視図。
【図７】本例のランドセルを設置したランドセル陳列台の斜視図。
【図８】本例の他のランドセルを設置したランドセル陳列台の斜視図。
【図９】第３の実施の形態におけるランドセル陳列台の後方側から見た斜視図。
【図１０】本例のランドセルを設置したランドセル陳列台の斜視図。
【符号の説明】
【００２４】
１  縁部
２  基台
３  転落防止用突起
４ａ、４ｂ    支持台
６ａ、６ｂ、６ｃ、６ｄ    隙間
７  段差
８  小突起
９  壁部
１０  ランドセル陳列台
４２ａ、４２ｂ    前方部
４１ａ、４１ｂ    後方部
４２１    上面（支持面）
５０  ランドセル
【図１】
0003147679.tif 000003
【図２】
0003147679.tif 000004
【図３】
0003147679.tif 000005
【図４】
0003147679.tif 000006
【図５】
0003147679.tif 000007
【図６】
0003147679.tif 000008
【図７】
0003147679.tif 000009
【図８】
0003147679.tif 000010
【図９】
0003147679.tif 000011
【図１０】
0003147679.tif 000012